(57)【要約】【課題】  キーラバーの上記のようなクリックドームに近づく撓みの問題が解決された電子機器を開発することである。【解決手段】  携帯用電話機１中のメインキーボタン１６と接着されたキーラバー２１は、その両端部に設けられた円柱状のリブ２１１を貫通して穿孔された一対の保持用孔２１２と上記表面の裏面に設けられてクリックドーム４を押圧するアクチュエータ２１３を備えた平板状のものであって、クリックドーム４から離れる方向に太鼓状を呈してキーラバー保持部３にの保持されており、アクチュエータ２１３の先端部はクリックドーム４の頂上付近の表面と常時接触している。キーラバー保持部３は、保持用孔２１２に挿通される一対の保持用ピン３１と保持用ピン３１を固定するピン支持板３２とから構成されている。【選択図】図３
2005117079.tif 000002
【特許請求の範囲】
【請求項１】
キーボタン、クリックドーム、上記キーボタンと上記クリックドームとの間に設けられて上記キーボタンの押圧力を上記クリックドームに伝達するキーラバー、および上記キーラバーの両端部を保持するキーラバー保持部を備えた電子機器であって、上記キーラバーは、上記キーボタンが押されない状態においては、上記クリックドームから離れる方向に太鼓状を呈していることを特徴とする電子機器。
【請求項２】
上記キーラバーは、その両端部に穿孔された一対の保持用孔を有するものであり、上記キーラバー保持部は、上記保持用孔に挿通されると共に上記挿通前における上記一対の保持用孔のピッチより小さいピッチを有する一対の保持用ピンを備えたものであることを特徴とする請求項１記載の電子機器。
【請求項３】
キーボタン、クリックドーム、上記キーボタンと上記クリックドームとの間に設けられて上記キーボタンの押圧力を上記クリックドームに伝達するキーラバー、および上記キーラバーの両端部を保持するキーラバー保持部を備えた電子機器であって、上記キーラバーは、上記キーボタンが押されない状態においては、上記両端部間で引張応力が生じるように上記キーラバー保持部により保持されていることを特徴とする電子機器。
【請求項４】
上記キーラバーは、その両端部に穿孔された一対の保持用孔を有するものであり、上記キーラバー保持部は、上記保持用孔に挿通されると共に上記挿通前における上記一対の保持用孔のピッチより大きいピッチを有する一対の保持用ピンを備えたものであることを特徴とする請求項３記載の電子機器。
【請求項５】
上記一対の保持用孔の上記挿通前における各孔径は、上記一対の保持用ピンの各外径より小さく、上記一対の保持用ピンのピッチは、上記外径と上記孔径との差だけ上記一対の保持用孔のピッチより大きく、上記一対の保持用ピンが上記一対の保持用孔に圧挿通されていることを特徴とする請求項４記載の電子機器。
【請求項６】
携帯用電話機であることを特徴とする請求項１〜請求項５のいずれか一項記載の電子機器。
【発明の詳細な説明】
【技術分野】
【０００１】
本発明は、電子機器に関し、詳しくはキーボタンの押圧力をクリックドームに伝達するキーラバーを有する電子機器に関するものである。
【背景技術】
【０００２】
従来から、基板にメンブレンスイッチを密着固定し、当該メンブレンスイッチの個々のスイッチに対向して、作動させるキー釦を備えてなるキーボードであって、基板を構成するプリント配線板（１）と、個々にクリックディスク（２２）を有する複数個のスイッチ（２１）を一層に配設し一体に構成し、当該プリント配線板（１）に密着固定させるメンブレンスイッチ（２）と当該クリックディスク（２２）の対向位置に、押圧用の突起（３１）を裏側に有し、表側のトップ面（３２）に操作用の表示（３２）が成され、当該トップ面（３２）に硬質透明板（３４）を接着してなるキー釦（３３）を配し、所定厚の基板部（３５）から薄肉のスカート部（３６）を介してキー釦（３３）を出張らせ、全数を軟質ゴム材にて一体成型してなり、当該メンブレンスイッチ（２）に重置させ当該基板部（３５）を密着固定させるキートップ（３）と、から構成されてなることを特徴とするキーボードスイッチは後記の特許文献１から公知である。
【０００３】
特許文献１の上記技術は、キーボードスイッチの小型化、薄肉化には有利ではあっても、上記全数を軟質ゴム材にて一体成型するために高度の技術並びに高価な設備を必要とする問題があって、斯界では従来から採用されてきた平板状のキーラバーを引き続き採用する需要が未だ多い。ところで上記のキーラバーは、従来からそれの両端に設けられた一対の固定孔に、電子機器の筐体などに固定された一対の位置決めピンを挿通して固定されている。しかしキーラバーの上記一対の固定孔のピッチは、上記一対の位置決めピンのピッチと等しくなるように設計製造されているが、その場合、位置決めピンに固定された状態ではキーラバーは自重によりクリックドームに近づくように撓んで電子機器の組み立て性やキーボタンの操作性が悪くなることが屡々生じる問題があった。
【特許文献１】特開平６−２７５１６９号公報（請求項１、図１）
【発明の開示】
【発明が解決しようとする課題】
【０００４】
本発明が解決しようとする課題は、従来技術における如上の問題に鑑みて、キーラバーの上記のようなクリックドームに近づく撓みの問題が解決された電子機器を開発することである。
【課題を解決するための手段】
【０００５】
本発明の請求項１に係る電子機器は、キーボタン、クリックドーム、上記キーボタンと上記クリックドームとの間に設けられて上記キーボタンの押圧力を上記クリックドームに伝達するキーラバー、および上記キーラバーの両端部を保持するキーラバー保持部を備えた電子機器であって、上記キーラバーは、上記キーボタンが押されない状態においては、上記クリックドームから離れる方向に太鼓状を呈していることを特徴とするものである。
【０００６】
本発明の請求項３に係る電子機器は、キーボタン、クリックドーム、上記キーボタンと上記クリックドームとの間に設けられて上記キーボタンの押圧力を上記クリックドームに伝達するキーラバー、および上記キーラバーの両端部を保持するキーラバー保持部を備えた電子機器であって、上記キーラバーは、上記キーボタンが押されない状態においては、上記両端部間で引張応力が生じるように上記キーラバー保持部により保持されていることを特徴とするものである。
【発明の効果】
【０００７】
本発明の請求項１に係る電子機器では、上記キーラバーは、キーボタンが押されない状態においてはクリックドームから離れる方向に太鼓状を呈していて、換言すると従来技術における撓み方向とは反対方向に予め変形した状態で上記キーラバー保持部により保持されるので、上記撓みの問題が解決して電子機器の組み立て性やキーボタンの操作性が改善される。
【０００８】
本発明の請求項３に係る電子機器では、上記キーラバーは、上記キーボタンが押されない状態においては、キーラバーの両端部間で引張応力が生じるように上記キーラバー保持部により保持されるので、上記撓みの問題が解決して電子機器の組み立て性やキーボタンの操作性が改善される。
【発明を実施するための最良の形態】
【０００９】
実施の形態１．
図１〜図５は、本発明の電子機器における実施の形態１を説明するものであって、図１は上記電子機器の一例としての折り畳み式の携帯用電話機１の斜視図であり、図２は携帯用電話機１の開いた状態の斜視図であり、図３は図２のＡ−Ａ線に沿った部分断面図であり、図４は図３中に含まれている、キーボタンとキーラバーとのアセンブリ２の斜視図であり、図５は図３中に含まれているキーラバー保持部３の斜視図である。
【００１０】
図１〜図５において、携帯用電話機１は、キー操作を行う操作部１１有する操作本体１２、前記のキー操作や着信時において必要な情報を表示する情報表示部１３を有する情報表示本体１４、および操作本体１２と情報表示本体１４とを、キー操作部１１と情報表示部１３が向かい合う構成で折り畳めるように連結するヒンジ１５を備えている。また操作本体１２は、メインキーボタン１６、サイドキーボタン１７を有し、情報表示本体１４は背面キーボタン１８を有する。
【００１１】
さらに図３〜図５において、アセンブリ２は、メインキーボタン１６とキーラバー２１とから構成されていて、メインキーボタン１６の裏面の中央辺りが適当な接着剤（図示せず）にてキーラバー２１の表面に接着されたものである。メインキーボタン１６は、操作本体１２を形成する筐体１２１に明けられた開口１２１ａに下から挿通してセットされている。
【００１２】
キーラバー２１は、その両端部に設けられた円柱状のリブ２１１を貫通して穿孔された一対の保持用孔２１２と上記表面の裏面に設けられてクリックドーム４を押圧するアクチュエータ２１３を備えた平板状のものであって、図３に示すようにクリックドーム４から離れる方向に太鼓状を呈して保持されている。但し、アクチュエータ２１３の先端部はクリックドーム４の頂上付近の表面と常時接触していても良い。キーラバー保持部３は、上記保持用孔２１２に挿通される一対の保持用ピン３１と保持用ピン３１を固定するピン支持板３２とから構成されている。
【００１３】
図４および図５において、アセンブリ２のキーラバー２１に保持用ピン３１が挿通される前の状態における保持用孔２１２の各中心間の距離、即ち一対の保持用孔２１２のピッチをＰ１、保持用ピン３１の各中心軸間の距離、即ち一対の保持用ピン３１のピッチをＰ２とすると、キーラバー２１としてそのピッチＰ１がピッチＰ２より大きいものを使用し、それの保持用孔２１２に保持用ピン３１を挿通してアセンブリ２をキーラバー保持部３に保持せしめると、ピッチＰ１＞ピッチＰ２の関係に基づいてキーラバー２１が図３に示すように太鼓状を呈して保持される。
【００１４】
なおピッチＰ１がピッチＰ２に対して過大であると、アセンブリ２を筐体１２１とキーラバー保持部３との間に装着することが困難となり、逆にピッチＰ１がピッチＰ２に等しいか、あるいは極僅か大きい程度であると、充分に太鼓状とすることができないが、キーラバー２１の厚みや、キーラバー２１の形成材料に基づくその弾性などが決まると、ピッチＰ２に対するピッチＰ１の適切な大きさは試行錯誤的に容易に決定することができる。
【００１５】
つぎに実施の形態１の動作について説明する。図３の状態においてメインキーボタン１６を押すと、その押し力によりキーラバー２１がクリックドーム４の方に撓み、さらにアクチュエータ２１３の押し力によりクリックドーム４が下方に撓んで、クリックドーム４の可動接点とクリックドーム４の下に設置された固定接点部５とが接触してスイッチが入る。その後、メインキーボタン１６が開放されると、キーラバー２１およびクリックドーム４の各形状は図３の状態に復元する。このために、従来技術における前記撓みの問題が解決して電子機器の組み立て性やキーボタン１６の操作性が改善される。
【００１６】
実施の形態２．
図６は、本発明の電子機器における実施の形態２を説明するものであって、電子機器の一例としての折り畳み式の携帯用電話機１（図１、図２参照）の前記図３に対応する前記図２のＡ−Ａ線に沿った部分断面図である。
【００１７】
図６において、実施の形態２は、前記実施の形態１とは、アセンブリ２をキーラバー保持部３に保持せしめた状態において、キーラバー２１は、メインキーボタン１６が押されない状態においても、矢印Ｂ−Ｂの方向に引っ張られるようにキーラバー２１の両端部間で引張応力が生じるようにキーラバー保持部３より保持されている点において異なり、その他の構成は同じである。キーラバー２１が上記のように緊張していることにより、従来技術における前記撓みの問題が解決して電子機器の組み立て性やキーボタン１６の操作性が改善される。
【００１８】
図６において、アセンブリ２のキーラバー２１に保持用ピン３１が挿通される前の状態における保持用孔２１２（図４および図５参照）の各中心間の距離、即ち一対の保持用孔２１２のピッチをＰ１、保持用ピン３１の各中心軸間の距離、即ち一対の保持用ピン３１のピッチをＰ２とすると、キーラバー２１としてそのピッチＰ１がピッチＰ２より小さいものを使用し、それの保持用孔２１２に保持用ピン３１を挿通してアセンブリ２をキーラバー保持部３に保持せしめると、ピッチＰ１＜ピッチＰ２の関係に基づいてキーラバー２１が図６に示すように適度に緊張した状態で保持される。
【００１９】
ピッチＰ１がピッチＰ２に対して過小であると、アセンブリ２をキーラバー保持部３に保持せしめることが困難となり、逆にピッチＰ１がピッチＰ２に等しいか、あるいは極僅か小さい程度であると、充分に緊張した状態とすることができないが、実施の形態１の場合と同様にキーラバー２１の厚みや、キーラバー２１の形成材料に基づくその弾性などが決まると、キーラバー２１を適度に緊張した状態とするために、ピッチＰ２に対するピッチＰ１の適切な大きさは試行錯誤的に容易に決定することができる。
【００２０】
なおキーラバー２１として、保持用ピン３１の挿通前における保持用孔２１２の孔径ａが保持用ピン３１の外径ｂより小さいものを使用して保持用ピン３１を保持用孔２１２に圧挿通するようにすると、携帯用電話機の組み立て作業中にキーラバー２１がキーラバー保持部３に安定に保持される利点がある。その際、挿通前におけるピッチＰ２が例えばピッチＰ１より上記外径ｂと上記孔径ａとの差αだけ大きくなるようにすると、キーラバー２１を適度に緊張した状態とすることができて従来技術における撓みの問題も解消する。
【００２１】
上記の孔径ａ、外径ｂ、差αの各大きさは、キーラバー２１のピッチＰ１などにより左右されるが、例えばピッチＰ１が３０ｍｍ前後である場合、差αは０．０５ｍｍ〜１ｍｍ程度、好ましくは０．１ｍｍ〜０．５ｍｍ程度である。
【００２２】
つぎに実施の形態１の動作について説明する。図６の状態においてメインキーボタン１６を押すと、その押し力によりキーラバー２１がクリックドーム４の方に撓み、さらにアクチュエータ２１３の押し力によりクリックドーム４が下方に撓んで、クリックドーム４の可動接点とクリックドーム４の下に設置された固定接点部５とが接触してスイッチが入る。その後、メインキーボタン１６が開放されると、キーラバー２１およびクリックドーム４の各形状は図６の状態に復元する。
【００２３】
本発明は、前記実施の形態１および実施の形態２に制限されるもでななく、本発明の課題並びに解決手段の精神に則った、種々の実施の形態を包含する。例えば実施の形態１および実施の形態２ではキーボタンがメインキーボタン１６である場合であったが、サイドキーボタン１７や背面キーボタン１８の場合についても適用可能である。
【産業上の利用可能性】
【００２４】
本発明の電子機器は、そのキーラバーの撓みが解消されているので、キーボタンおよびキーラバーを含む各種の電子機器、例えば携帯用電話機、パソコンなどへの利用の可能性が高い。
【図面の簡単な説明】
【００２５】
【図１】電子機器の一例としての実施の形態１の携帯用電話機１の斜視図である。
【図２】図１の携帯用電話機１を開いた状態の斜視図である。
【図３】図２のＡ−Ａ線に沿った部分断面図である。
【図４】図３中に含まれているアセンブリ２の斜視図である。
【図５】図３中に含まれているキーラバー保持部３の斜視図である。
【図６】実施の形態２における携帯用電話機１の図２のＡ−Ａ線に沿った部分断面図である。
【符号の説明】
【００２６】
１  携帯用電話機、１１  操作部、１２  操作本体、１３  情報表示部、
１４  情報表示本体、１５  ヒンジ、１６  メインキーボタン、
１７  サイドキーボタン、１８  背面キーボタン、２  アセンブリ、２１  キーラバー、２１１  リブ、２１２  保持用孔、２１３  アクチュエータ、３  キーラバー保持部、
３１  保持用ピン、３２  ピン支持板、４  クリックドーム、５  固定接点部。
【図１】
2005117079.tif 000003
【図２】
2005117079.tif 000004
【図３】
2005117079.tif 000005
【図４】
2005117079.tif 000006
【図５】
2005117079.tif 000007
【図６】
2005117079.tif 000008